(57)【要約】      （修正有）【課題】光ピックアップ装置の小形化を図るとともに組立てを簡単化し、製作コストの低減を図ることが可能な複数の機能を有する押圧部材を提供する。【解決手段】光ピックアップ装置１のハウジング２に光源３や光学部品４などの構成部品の一部を弾発的に装着するために、それぞれが弾発的に変形可能な複数の押圧部を有するとともに一体に成形されてなる押圧部材８を用い、各押圧部が構成部品に弾発的に当接されるように配置し組み立てる。【選択図】図１
2004362681.tif 000002
【特許請求の範囲】
【請求項１】
弾発的に変形可能な複数の押圧部が一体に成形される押圧部材であって、
押圧対象物に装着され、押圧対象物の所定位置を、各押圧部によって弾発的に押圧することを特徴とする押圧部材。
【請求項２】
弾発的に変形可能であり、両端部が押圧対象物に係止可能に形成される基部であって、外力を与えて弾発的に変形させ、この状態で一端部を押圧対象物に係止し、前記外力を除去することによって、弾性回復力によって他端部が押圧対象物に係止される基部をさらに有し、
各押圧部は、基部から突出して形成されることを特徴とする請求項１記載の押圧部材。
【請求項３】
複数の構成部品がハウジングに設けられて構成され、記録媒体に対する情報の記録、再生、および消去のうちの少なくともいずれか１つを実行可能な光ピックアップ装置であって、
ハウジングに装着される押圧部材を有し、
押圧部材は、弾発的に変形可能な複数の押圧部が一体に成形され、各押圧部が一部の構成部品に弾発的に当接されることを特徴とする光ピックアップ装置。
【請求項４】
各押圧部は、構成部品に弾発的に当接することによって、その構成部品を、ハウジングと協働して挟持し、ハウジングに保持することを特徴とする請求項３記載の光ピックアップ装置。
【請求項５】
各押圧部が弾発的に当接する構成部品を除く残余の構成部品は、フレキシブル基板を有し、押圧部材はこのフレキシブル基板をハウジングと反対側から部分的に覆うことを特徴とする請求項３記載の光ピックアップ装置。
【請求項６】
各押圧部が当接する構成部品は、電力によって稼動するアクチュエータを有し、このアクチュエータに当接される押圧部は、アクチュエータにバイアスをかけることを特徴とする請求項３または５記載の光ピックアップ装置。
【請求項７】
押圧部材は、電磁波を遮蔽するシールド機能を有することを特徴とする請求項３〜６のいずれかに記載の光ピックアップ装置。
【発明の詳細な説明】
【０００１】
【発明の属する技術分野】
本発明は、光ピックアップ装置および押圧部材に関し、たとえばコンパクトディスクおよびデジタルバーサタイルディスクなどの記録媒体に対する情報の記録、再生、消去を行う光ピックアップ装置および押圧部材に関する。
【０００２】
【従来の技術】
従来、コンパクトディスク（略称ＣＤ：Ｃｏｍｐａｃｔ  Ｄｉｓｋ）およびデジタルバーサタイルディスク（略称ＤＶＤ：Ｄｉｇｉｔａｌ  Ｖｅｒｓａｔｉｌｅ  Ｄｉｓｋ）などの記録媒体に対する情報の記録、再生、消去を行う光ピックアップ装置が実用に供されている。光ピックアップ装置は、たとえば記録媒体に光を発する光源、コリメートレンズ、立ち上げミラー、対物レンズ、および対物レンズ駆動機構を有する。この光ピックアップ装置には、さらにフレキシブル基板などが実装されている。
【０００３】
前記光ピックアップ装置には、たとえば前述のコリメートレンズおよび立ち上げミラーなどの複数の光学部品を、光ピックアップ装置本体にそれぞれ固定する複数の板ばね片が付設される。また光ピックアップ装置には、フレキシブル基板を前記光ピックアップ装置本体に固定する板ばね片と、スキュー調整のための板ばね片と、外部からの高長波ノイズを遮蔽するための板ばね片とが機能毎に付設される（特許文献１および２）。
【０００４】
【特許文献１】
特開平１１−３１２３３２号公報
【特許文献２】
特開２０００−２８５４７５号公報
【０００５】
【発明が解決しようとする課題】
特許文献１および２に記載の従来技術では、光ピックアップ装置本体に、機能毎に板ばね片を付設しているので、部品点数が多くなり光ピックアップ装置の組立てが困難になるだけでなく、製作コストが高くなる。部品点数が多くなる分、光ピックアップ装置の小形化を図ることも困難になる。ここで複数の機能をたとえば１つの板ばね片で兼用することも考えられる。しかし単に１つの板ばね片で複数の機能を兼用する構成では、前記板ばね片を光ピックアップ装置本体に組み立てるとき、たとえば光ピックアップ装置本体の複数箇所に対して、板ばね片の各押圧部を塑性変形させないように同時に気をつかいつつ組付ける必要がある。したがってこの場合にも光ピックアップ装置の組立てが困難になる。
【０００６】
したがって本発明の目的は、組立てを簡単化し、小形化を図るとともに製作コストの低減を図ることができる光ピックアップ装置および押圧部材を提供することである。
【０００７】
【課題を解決するための手段】
請求項１記載の本発明は、弾発的に変形可能な複数の押圧部が一体に成形される押圧部材であって、
押圧対象物に装着され、押圧対象物の所定位置を、各押圧部によって弾発的に押圧することを特徴とする押圧部材である。
【０００８】
本発明に従えば、押圧部材は、弾発的に変形可能な複数の押圧部が一体に成形される。この押圧部材は押圧対象物に装着され、押圧対象物の所定位置を各押圧部によって弾発的に押圧する。このように押圧部材は、弾発的に変形可能な複数の押圧部が一体に成形されるので、機能毎に複数の板ばね片を組み合わせる従来のものと比べて、部品点数を低減することができるとともに押圧部材の小形化を図ることができる。
【０００９】
しかも押圧部材は押圧対象物に装着され、押圧対象物の所定位置を各押圧部によって弾発的に押圧するので、押圧部材の押圧対象物への装着自体を簡単化することができる。たとえば各押圧部を塑性変形させないように組立作業に気をつかう必要が皆無となる。したがってサイクルタイムを短縮することができるうえ、製作コストの低減を図ることが可能となる。
【００１０】
請求項２記載の本発明は、弾発的に変形可能であり、両端部が押圧対象物に係止可能に形成される基部であって、外力を与えて弾発的に変形させ、この状態で一端部を押圧対象物に係止し、前記外力を除去することによって、弾性回復力によって他端部が押圧対象物に係止される基部をさらに有し、
各押圧部は、基部から突出して形成されることを特徴とする。
【００１１】
本発明に従えば、押圧部材は基部をさらに有し、各押圧部は、基部から突出して形成される。基部は弾発的に変形可能であり、その両端部が押圧対象物に係止可能に形成される。この基部に外力を与えて基部を弾発的に変形させる。この状態で一端部を押圧対象物に係止し、前記外力を除去することによって、弾性回復力によって他端部が押圧対象物に係止される。前述の基部に対する外力の付与および除去によって、基部の両端部を簡単かつ確実に押圧対象物に係止することができる。このように押圧部材の押圧対象物への装着を簡単に実現することができる。
【００１２】
請求項３記載の本発明は、複数の構成部品がハウジングに設けられて構成され、記録媒体に対する情報の記録、再生、および消去のうちの少なくともいずれか１つを実行可能な光ピックアップ装置であって、
ハウジングに装着される押圧部材を有し、
押圧部材は、弾発的に変形可能な複数の押圧部が一体に成形され、各押圧部が一部の構成部品に弾発的に当接されることを特徴とする光ピックアップ装置である。
【００１３】
本発明に従えば、光ピックアップ装置は、複数の構成部品がハウジングに設けられて構成される。この光ピックアップ装置は、記録媒体に対する情報の記録、再生、および消去のうちの少なくともいずれか１つを実行可能である。ハウジングには、押圧部材が装着される。この押圧部材は、弾発的に変形可能な複数の押圧部が一体に成形され、各押圧部は、一部の構成部品に弾発的に当接される。
【００１４】
このように押圧部材は、弾発的に変形可能な複数の押圧部が一体に成形されるので、機能毎に複数の板ばね片を組み合わせる従来のものと比べて、部品点数を低減することができるとともに光ピックアップ装置の小形化を図ることができる。しかも押圧部材は押圧対象物に装着され、各押圧部が一部の構成部品に弾発的に当接されるので、押圧部材の押圧対象物への装着自体を簡単化することができる。たとえば各押圧部を塑性変形させないように組立作業に気をつかう必要が皆無となる。したがって組立てに要するサイクルタイムを短縮することができるうえ、製作コストの低減を図ることができる。
【００１５】
請求項４記載の本発明は、各押圧部は、構成部品に弾発的に当接することによって、その構成部品を、ハウジングと協働して挟持し、ハウジングに保持することを特徴とする。
【００１６】
本発明に従えば、各押圧部は、構成部品に弾発的に当接することによって、その構成部品を、ハウジングと協働して挟持する。これによって構成部品のハウジングへの保持を実現することができる。
【００１７】
請求項５記載の本発明は、各押圧部が弾発的に当接する構成部品を除く残余の構成部品は、フレキシブル基板を有し、押圧部材はこのフレキシブル基板をハウジングと反対側から部分的に覆うことを特徴とする。
【００１８】
本発明に従えば、前記残余の構成部品はフレキシブル基板を有する。押圧部材はこのフレキシブル基板をハウジングと反対側から部分的に覆うので、フレキシブル基板がハウジングから離反する方向へ変位することを防止することが可能となる。
【００１９】
請求項６記載の本発明は、各押圧部が当接する構成部品は、電力によって稼動するアクチュエータを有し、このアクチュエータに当接される押圧部は、アクチュエータにバイアスをかけることを特徴とする。
【００２０】
本発明に従えば、各押圧部が当接する構成部品は、電力によって稼動するアクチュエータを有する。このアクチュエータに当接される押圧部は、アクチュエータにバイアスをかけることで、アクチュエータの稼動を実現することができる。
【００２１】
請求項７記載の本発明は、押圧部材は、電磁波を遮蔽するシールド機能を有することを特徴とする。
【００２２】
本発明に従えば、押圧部材は電磁波を遮蔽するシールド機能を有するので、正確かつ確実なピックアップ動作を実現することができる。
【００２３】
【発明の実施の形態】
図１は、本発明の実施形態に係る光ピックアップ装置の装置本体と押圧部材との関係を示す斜視図である。図２は、押圧部材を装置本体にスナップヒットさせる状態を説明する斜視図である。図３は、押圧部材を装置本体に弾発的に押圧した状態の拡大斜視図である。図４は、記録媒体および光ピックアップ装置の斜視図である。本実施の形態は、たとえばコンパクトディスクまたはデジタルバーサタイルディスクなどの記録媒体に対する情報の記録、再生、消去を行う光ピックアップ装置に本発明を適用した場合の一例を示す。
【００２４】
光ピックアップ装置１は、主に、ハウジング２と、光源３と、光学部品４と、アクチュエータ５と、集積回路６と、フレキシブル基板７と、押圧部材８とを有する。これら光源３、光学部品４、アクチュエータ５、集積回路６、およびフレキシブル基板７が構成部品に相当する。
【００２５】
光源３は、たとえばコンパクトディスク（略称ＣＤ：Ｃｏｍｐａｃｔ  Ｄｉｓｋ）用またはデジタルバーサタイルディスク（略称ＤＶＤ：Ｄｉｇｉｔａｌ  Ｖｅｒｓａｔｉｌｅ  Ｄｉｓｋ）用受発光素子を有する。本実施の形態では、ＣＤ用またはＤＶＤ用受発光素子が採用される構成になっているが、必ずしもこの構成に限定されるものではない。たとえばＣＤ用およびＤＶＤ用受発光素子を共に採用する構成にしてもよい。
【００２６】
受発光素子および集積回路６は、フレキシブル基板７に実装される。換言すれば、フレキシブル基板７は、光源３である受発光素子と、たとえば光源３を駆動制御するための前記集積回路６とに電気的に接続されている。さらに受発光素子は、ハウジング２の所定位置に固定される。
【００２７】
押圧対象物としてのハウジング２には、光学部品４およびアクチュエータ５が搭載されている。光学部品４は、たとえば図示外のコリメートレンズと、立ち上げミラーと、対物レンズ９とを備え、これら光学部品４は、受発光素子と記録媒体１０との間の光軸上に配置されている。対物レンズ９は、記録媒体１０に臨んで電力によって稼動するアクチュエータ５によって駆動制御されるように構成され、対物レンズ９の位置が調整されるようになっている。
【００２８】
図５は押圧部材を一方向から見た斜視図であり、図６は押圧部材を他方向から見た斜視図である。前記押圧部材８を「押さえばね８」という場合がある。押さえばね８は、金型によって一体成型されるプレス部品であり、たとえば日本工業規格で定められる材質ＳＵＳ３０１、板厚約０．２ｍｍのステンレス鋼板から成る。ただし押さえばね８の材質は、前記ＳＵＳ３０１に限定されるものではなく、たとえば種々な鋼板を採用可能である。また押さえばね８の板厚も０．２ｍｍに限定されるものではない。
【００２９】
押さえばね８は、複数の押圧部が一体に成形され、かつこれら押圧部はそれぞれ弾発的に変形可能に構成されている。複数の押圧部のうち後述する押圧部１４は、一部の構成部品である光学部品４に弾発的に当接する。押さえばね８は、残余の構成部品であるフレキシブル基板７をハウジング２と反対側から部分的に覆うように構成されている。複数の押圧部のうち後述する押圧部２４は、図示外の電源からの電力をアクチュエータ５に供給する。またフレキシブル基板７をハウジング２の所定位置に仮位置決めしたうえで、複数の押圧部によって順次、光学部品４、フレキシブル基板７の一部、アクチュエータ５、フレキシブル基板７の一部をハウジング２の各所定位置にスナップヒットさせる。
【００３０】
各押圧部は、ピックアップ装置外部からの電磁波、たとえば高長波ノイズを遮蔽するシールド機能を有する。特に受発光素子の大部分がこのシールド機能を有する押圧部１１（後述する）によって覆われるので、高長波ノイズを確実に遮蔽することができる。
【００３１】
図７は押さえばねの平面図である。図８は、図７のＡ−Ａ線端面図である。図９は、図７のＢ−Ｂ線端面図である。図１０は、図７のＣ−Ｃ線端面図である。図１１は、図７のＤ−Ｄ線端面図である。この押さえばね８は、記録媒体１０（図４参照）と略平行に配置される基部１２と、複数の押圧部と、係合部１３とを含む。
【００３２】
前記基部１２は、弾発的に変形可能であり、その長手方向両端部がハウジング２に係止可能に形成される。この基部１２に外力を与えて弾発的に変形させ、この状態で一端部つまり長手方向一端部をハウジング２に係止する。さらに前記外力を除去することによって、弾性回復力によって他端部つまり長手方向他端部がハウジング２に係止される。
【００３３】
複数の押圧部のうち１つの押圧部１４は、基部１２の長手方向一端部から記録媒体１０に対して離反する方向へ所定小距離突出する。図７において前記長手方向を矢符Ｌ１にて表す。前記離反する方向をＺ方向一方と定義する。本実施形態において、「略平行」は平行を含む。前記押圧部１４は、光学部品４に対応する押圧部１４であって、この押圧部１４の光学部品４に臨む一表面部１４ａに凸部１５が形成されている。光学部品４には、凸部１５が係合する図示外の被係合部が形成されている。これら凸部１５および被係合部によって、押圧部１４と光学部品４とが相対的に位置決めされる。しかもこの押圧部１４は、光学部品４に弾発的に当接することによって、その光学部品４を、ハウジング２と協働して挟持し、ハウジング２に保持する。
【００３４】
基部１２の四隅には、４つの押圧部１６，１７，１８，１９が一体成形されている。前記四隅の押圧部１６，１７，１８，１９は、フレキシブル基板７をハウジング２に押圧および保持する押圧部であって、フレキシブル基板７がハウジング２から離反する方向へ変位することを阻止する機能を有する。これら押圧部１６〜１９のうち１つの押圧部１６は、前述の押圧部１４付近に配設される。この押圧部１６は、基部１２の一側縁部から略Ｚ方向一方へ突出する第１押圧部分１６ａ、第１押圧部分１６ａの先端部に連続して屈曲し記録媒体１０に略平行に基部１２から離反する第２押圧部分１６ｂ、および第２押圧部分１６ｂの先端部から略Ｚ方向一方へ突出する第３押圧部分１６ｃを含む。本実施形態において、「略Ｚ方向」はＺ方向を含む。
【００３５】
第２押圧部分１６ｂには孔部が形成されている。この孔部と、フレキシブル基板７に形成される孔部とにわたって、たとえばビスが挿入され、ハウジング２に対して押圧部１６とフレキシブル基板７とが位置決めされる。この押圧部１６の弾発力によって、第３押圧部分１６ｃがハウジング２に挿入されるとともに、フレキシブル基板７の一部が第２押圧部分１６ｂに押圧されハウジング２の所定位置に保持される。
【００３６】
このときフレキシブル基板７の一側縁部が第２押圧部分１６ｂと第３押圧部分１６ｃとのコーナ部２０に規制される。しかも第３押圧部分１６ｃは、ハウジング２に挿入されて規制される。これらによってハウジング２に対して、押圧部１６とフレキシブル基板７の一部とが簡単にかつスムースに仮位置決めされ、この仮位置決めされた状態で第２押圧部分１６ｂの孔部およびフレキシブル基板７の孔部に前記ビスが挿入される。
【００３７】
四隅の押圧部１６〜１９のうち受発光素子付近に配設される１つの押圧部１７も、基部１２の一側縁部から略Ｚ方向一方へ突出する第１押圧部分１７ａと、第２押圧部分１７ｂと、第３押圧部分１７ｃとを含む。前記第２押圧部分１７ｂに形成される孔部と、フレキシブル基板７に形成される孔部とにわたって、たとえばビスが挿入され、ハウジング２に対して押圧部１７とフレキシブル基板７とが位置決めされる。この押圧部１７の弾発力によって、第３押圧部分１７ｃがハウジング２に挿入されるとともに、フレキシブル基板７の一部が第２押圧部分１７ｂに押圧されハウジング２の所定位置に保持される。
【００３８】
このときフレキシブル基板７の一側縁部が第２押圧部分１７ｂと第３押圧部分１７ｃとの間のコーナ部２１に規制される。しかも第３押圧部分１７ｃは、ハウジング２に挿入されて規制される。これらによってハウジング２に対して、押圧部１７とフレキシブル基板７の一部とが簡単にかつスムースに仮位置決めされ、この仮位置決めされた状態で第２押圧部分１７ｂの孔部とフレキシブル基板７の孔部に前記ビスが挿入される。
【００３９】
四隅の押圧部１６〜１９のうち２つの押圧部１８，１９は、フレキシブル基板７の他側縁部付近で図７の矢符Ｌ１にて示す前記長手方向に離隔して配設される。各押圧部１８（１９）は、基部１２の他側縁部から略Ｚ方向一方へ突出する第１の押圧部分２２と、第１の押圧部分２２の先端部に連続して屈曲し記録媒体１０に略平行に押圧部１６（１７）に近づくように形成される第２の押圧部分２３とを含む。各押圧部１８（１９）の弾発力によって、第１の押圧部分２２がハウジング２にタイトに当接するとともに、フレキシブル基板７の一部が第２の押圧部分２３に押圧されハウジング２の所定位置に保持される。
【００４０】
以上説明した弾発的に変形可能な四隅の押圧部１６〜１９と、外力を付与および除去する基部１２とによって、フレキシブル基板７がハウジング２に押圧および保持される。しかも押圧部材８は、フレキシブル基板７をハウジング２と反対側から部分的に覆う。したがってフレキシブル基板７は、ハウジング２から離反する方向へ変位することが確実に阻止される。
【００４１】
基部１２の長手方向中間付近において、基部１２の一側縁部には１つの押圧部２４が配設される。押圧部２４は、記録媒体１０に略平行にアクチュエータ５まで延びるように形成されている。この押圧部２４の先端部分には、Ｚ方向一方に所定小距離突出してアクチュエータ５に弾性付勢する突起２４ａが形成されている。この弾発的に変形可能な押圧部２４は、アクチュエータ５に当接される。この押圧部２４は、電源からの電力をアクチュエータ５に供給する機能を有する。このように押圧部２４は、電力をアクチュエータ５に供給する機能、換言すればバイアス機能を有するので、アクチュエータ５は稼動可能となる。したがって対物レンズ９の位置をアクチュエータ５によって調整することができる。
【００４２】
ところで前記押圧部２４を形成するため、基部１２には、押圧部２４の長手方向に沿ってスリット２５，２６が形成されている。このようなスリット２５，２６を形成することによる強度低下を補うため、基部１２のスリット近傍にリブ２７が形成される。リブ２７は、基部１２をＺ方向一方に見てコ字形状に形成され、かつ基部１２よりＺ方向一方にやや凹むように基部１２に一体成形される。
【００４３】
基部１２の長手方向他端部には、受発光素子に対応する押圧部１１が一体成形されている。この押圧部１１は、Ｚ方向一方へ突出するとともに受発光素子の一表面部、受発光素子の一側縁部、および他側縁部をそれぞれ覆うように形成されている。このように受発光素子の一表面部、一側縁部、および他側縁部が、シールド機能を有する押圧部１１によって覆われるので、外部からの高長波ノイズを確実に遮断することができる。これによって正確かつ確実なピックアップ動作を実現することが可能となる。
【００４４】
基部１２の他側縁部には、ハウジング２に係合可能な係合部１３が一体成形されている。この係合部１３は、基部１２からＺ方向一方へ突出するように形成される。複数の押圧部によって順次、光学部品４、フレキシブル基板７の一部、アクチュエータ５、フレキシブル基板７の一部、受発光素子をハウジング２の所定位置にスナップヒットさせたとき、前記係合部１３はハウジング２に係合される。
【００４５】
以上説明した光ピックアップ装置１および押さえばね８によれば、押圧部材８は、弾発的に変形可能な複数の押圧部が一体に成形される。この押圧部材８はハウジング２に装着され、ハウジング２の所定位置を各押圧部によって弾発的に押圧する。このように押圧部材８は、弾発的に変形可能な複数の押圧部が一体に成形されるので、部品点数を低減することができるとともに押圧部材８の小形化を図ることができる。
【００４６】
しかも押圧部材８はハウジング２に装着され、ハウジング２の所定位置を各押圧部によって弾発的に押圧するので、押圧部材８のハウジング２への装着自体を簡単化することができる。たとえば各押圧部を塑性変形させないように組立作業に気をつかう必要が皆無となる。したがってサイクルタイムを短縮することができるうえ、製作コストの低減を図ることが可能となる。
【００４７】
押圧部材８は基部１２をさらに有し、各押圧部は、基部１２から突出して形成される。基部１２は弾発的に変形可能であり、その両端部がハウジング２に係止可能に形成される。この基部１２に外力を与えて基部１２を弾発的に変形させる。この状態で一端部をハウジング２に係止し、前記外力を除去することによって、弾性回復力によって他端部がハウジング２に係止される。前述の基部１２の対する外力の付与および除去によって、基部１２の両端部を簡単かつ確実にハウジング２に係止することができる。このように押圧部材８のハウジング２への装着を簡単に実現することができる。
【００４８】
また本ピックアップ装置１によれば、各押圧部は光学部品４に弾発的に当接することによって、その光学部品４を、ハウジング２と協働して挟持する。これによって光学部品４のハウジング２への保持を実現することができる。また押圧部材８はフレキシブル基板７をハウジング２と反対側から部分的に覆うので、フレキシブル基板７がハウジング２から離反する方向へ変位することを防止することが可能となる。
【００４９】
アクチュエータ５に当接される押圧部２４は、アクチュエータ５にバイアスをかけることで、アクチュエータ５の稼動を実現することができる。これによって対物レンズ９を駆動制御することができる。押圧部材８は、電磁波を遮蔽するシールド機能を有するので、正確かつ確実なピックアップ動作を実現することが可能となる。
【００５０】
本実施の形態においては、一体成形される一つの押さえばねによって、光学部品を固定する機能、フレキシブル基板を覆う機能、アクチュエータバイアス機能、およびシールド機能を実現しているが、必ずしもこの形態に限定されるものではなくこれら四つの機能のうちのいずれか二つの機能を選択的に実現する形態であってもよい。
【００５１】
たとえば一体成形される一つの押さえばねによって、光学部品およびフレキシブル基板をそれぞれ押圧する機能だけを実現する形態であってもよい。この場合には、ハウジングに対し順次、光学部品、フレキシブル基板を押圧することができるので、機能毎に複数の板ばね片を組み合わせる従来のものと比べて部品点数を低減することができるとともに押さえばねの小形化を図ることができる。また本実施の形態と同様に、部品の組立てを簡単化することができる。
【００５２】
また一体成形される一つの押さえばねによって、フレキシブル基板を覆う機能と、アクチュエータバイアス機能と、シールド機能とを実現する形態であってもよい。また一体成形される一つの押さえばねによって、光学部品およびフレキシブル基板をそれぞれ押圧する機能と、アクチュエータバイアス機能とを実現する形態であってもよい。
【００５３】
本実施の形態においては、複数の押圧部によって順次、光学部品、フレキシブル基板の一部、アクチュエータ、フレキシブル基板の一部、受発光素子を、ハウジングの各所定位置にスナップヒットさせるが、必ずしもこの順に従ってスナップヒットさせなくてもよい。具体的には、光学部品、フレキシブル基板、アクチュエータ、および受発光素子のハウジングへのレイアウト位置に応じて、これらの部品をスナップヒットさせる順序を選択的に変更する場合もある。この場合にも本実施の形態と同様の効果を奏する。
【００５４】
押さえばねの板厚によっては、基部に形成されるリブを省略することも可能である。リブを、必要に応じて基部および押圧部の少なくともいずれか一方に追加してもよい。これによって、押さえばねの剛性強度の向上を図ることができる。本実施の形態においては、光源として受発光素子を適用しているが、必ずしもこの構成に限定されるものではない。たとえば発光素子と受光素子とを別体構造にすることも可能である。その他前記実施形態に、特許請求の範囲を逸脱しない範囲において種々の部分的変更を行う場合もある。
【００５５】
【発明の効果】
請求項１記載の本発明によれば、押圧部材は、弾発的に変形可能な複数の押圧部が一体に成形される。この押圧部材は押圧対象物に装着され、押圧対象物の所定位置を各押圧部によって弾発的に押圧する。このように押圧部材は、弾発的に変形可能な複数の押圧部が一体に成形されるので、機能毎に複数の板ばね片を組み合わせる従来のものと比べて、部品点数を低減することができるとともに押圧部材の小形化を図ることができる。
【００５６】
しかも押圧部材は押圧対象物に装着され、押圧対象物の所定位置を各押圧部によって弾発的に押圧するので、押圧部材の押圧対象物への装着自体を簡単化することができる。たとえば各押圧部を塑性変形させないように組立作業に気をつかう必要が皆無となる。したがってサイクルタイムを短縮することができるうえ、製作コストの低減を図ることが可能となる。
【００５７】
請求項２記載の本発明によれば、基部は弾発的に変形可能であり、その両端部が押圧対象物に係止可能に形成される。この基部に外力を与えて基部を弾発的に変形させる。この状態で一端部を押圧対象物に係止し、前記外力を除去することによって、弾性回復力によって他端部が押圧対象物に係止される。前述の基部に対する外力の付与および除去によって、基部の両端部を簡単かつ確実に押圧対象物に係止することができる。このように押圧部材の押圧対象物への装着を簡単に実現することができる。
【００５８】
請求項３記載の本発明によれば、ハウジングに装着される押圧部材は、弾発的に変形可能な複数の押圧部が一体に成形され、各押圧部は、一部の構成部品に弾発的に当接される。このように押圧部材は、弾発的に変形可能な複数の押圧部が一体に成形されるので、機能毎に複数の板ばね片を組み合わせる従来のものと比べて、部品点数を低減することができるとともに光ピックアップ装置の小形化を図ることができる。しかも押圧部材は押圧対象物に装着され、各押圧部が一部の構成部品に弾発的に当接されるので、押圧部材の押圧対象物への装着自体を簡単化することができる。たとえば各押圧部を塑性変形させないように組立作業に気をつかう必要が皆無となる。したがって組立てに要するサイクルタイムを短縮することができるうえ、製作コストの低減を図ることができる。
【００５９】
請求項４記載の本発明によれば、各押圧部は、構成部品に弾発的に当接することによって、その構成部品を、ハウジングと協働して挟持する。これによって構成部品のハウジングへの保持を実現することができる。
【００６０】
請求項５記載の本発明によれば、残余の構成部品はフレキシブル基板を有する。押圧部材はこのフレキシブル基板をハウジングと反対側から部分的に覆うので、フレキシブル基板がハウジングから離反する方向へ変位することを防止することが可能となる。
【００６１】
請求項６記載の本発明によれば、各押圧部が当接する構成部品は、電力によって稼動するアクチュエータを有する。このアクチュエータに当接される押圧部は、アクチュエータにバイアスをかけることで、アクチュエータの稼動を実現することができる。
【００６２】
請求項７記載の本発明によれば、押圧部材は電磁波を遮蔽するシールド機能を有するので、正確かつ確実なピックアップ動作を実現することができる。
【図面の簡単な説明】
【図１】本発明の実施形態に係る光ピックアップ装置の装置本体と押圧部材との関係を示す斜視図である。
【図２】押圧部材を装置本体にスナップヒットさせる状態を説明する斜視図である。
【図３】押圧部材を装置本体に弾発的に押圧した状態の拡大斜視図である。
【図４】記録媒体および光ピックアップ装置の斜視図である。
【図５】押圧部材を一方向から見た斜視図である。
【図６】押圧部材を他方向から見た斜視図である。
【図７】押さえばねの平面図である。
【図８】図７のＡ−Ａ線端面図である。
【図９】図７のＢ−Ｂ線端面図である。
【図１０】図７のＣ−Ｃ線端面図である。
【図１１】図７のＤ−Ｄ線端面図である。
【符号の説明】
１  光ピックアップ装置
２  ハウジング
３  光源
４  光学部品
５  アクチュエータ
７  フレキシブル基板
８  押圧部材
１０  記録媒体
１１，１４，１６，１７，１８，１９，２４  押圧部
１２  基部
【図１】
2004362681.tif 000003
【図２】
2004362681.tif 000004
【図３】
2004362681.tif 000005
【図４】
2004362681.tif 000006
【図５】
2004362681.tif 000007
【図６】
2004362681.tif 000008
【図７】
2004362681.tif 000009
【図８】
2004362681.tif 000010
【図９】
2004362681.tif 000011
【図１０】
2004362681.tif 000012
【図１１】
2004362681.tif 000013